(57)【要約】【課題】取付体に対する保持体の揺動の堅さを好適に備えると共に、部品点数を低減し得る表示物保持器を提供する。【解決手段】取付面に配置される取付体２４と、取付体２４に支持される単線の保持体２５とを備え、保持体２５は、単線を周回させたバネ部３０と、バネ部３０の両端に位置して取付体２４を挟み込むよう揺動可能に軸支される延在部３１，３２とを備え、バネ部３０の弾性力は、取付体２４に対する保持体２５の揺動の堅さを決定すると共に平板状の表示物Ｐを挟持し得るよう構成される。これにより、保持体２５の揺動の堅さを決定する弾性力と、平板状の表示物Ｐを挟持する弾性力とを、バネ部３０の弾性力によりまとめて作用させるので、部品点数を低減することができる。【選択図】        図１
2004205904.tif 000002
【特許請求の範囲】
【請求項１】
取付面に配置される取付体と、該取付体に支持される単線の保持体とを備え、前記保持体は、単線を周回させたバネ部と、該バネ部の両端に位置して取付体を挟み込むよう揺動可能に軸支される延在部とを備え、前記バネ部の弾性力は、取付体に対する保持体の揺動の堅さを決定すると共に平板状の表示物を挾持し得るよう構成されたことを特徴とする表示物保持器。
【請求項２】
取付面に配置される取付体と、該取付体に支持される単線の保持体とを備え、前記保持体は、単線を周回させたバネ部と、該バネ部の両端に位置して取付体に挟み込まれるよう揺動可能に軸支される延在部とを備え、前記バネ部の弾性力は、取付体に対する保持体の揺動の堅さを決定すると共に平板状の表示物を挾持し得るよう構成されたことを特徴とする表示物保持器。
【請求項３】
単線を異なる位置で周回させて複数のバネ部を形成した請求項１又は２記載の表示物保持器。
【請求項４】
複数のバネ部を一平面上に配列した請求項３に記載の表示物保持器。
【請求項５】
保持体の延在部が接触する取付体の設置面の少くとも１面に、保持体の延在部の揺動を仮止めし得るよう溝を形成した請求項１〜４のいずれかに記載の表示物保持器。
【請求項６】
保持体の延在部が接触する取付体の設置面の少くとも１面に、保持体の延在部の揺動を仮止めし得るよう突起部を形成した請求項１〜４のいずれかに記載の表示物保持器。
【請求項７】
取付体の設置面の少くとも１面に複数の溝を形成すると共に、保持体の延在部を所望の仮止め位置に配置し得るよう溝の深さを他の溝と変えた請求項５記載の表示物保持器。
【請求項８】
取付体の設置面の少くとも１面に複数の突起部を形成すると共に、保持体の延在部を所望の仮止め位置に配置し得るよう突起部の形状を他の突起部と変えた請求項６記載の表示物保持器。
【請求項９】
保持体の延在部を軸支し得るよう取付体の設置面に挿入穴を形成すると共に、挿入穴の外方端部に凹部を形成した請求項１〜８のいずれかに記載の表示物保持器。
【発明の詳細な説明】
【０００１】
【発明の属する技術分野】
本発明は、プレート等の表示物を支持する表示物保持器に関するものである。
【０００２】
【従来の技術】
一般に、パチンコ、スロット等には、図２６、図２７に示す如く、プレート等の表示物Ｐを保持するための表示物保持器１が取り付けられている。
【０００３】
プレート等の表示物Ｐには、大当りを示す絵や文字、リーチ目表等の情報が記載されており、その遊戯台が大当りしたことや、種々の情報等を表わすようになっている。
【０００４】
表示物保持器１は、パチンコ、スロット等の上部に両面テープ等の接着部２を介して固定される平坦な取付部３を備え、取付部３には、スポット溶接等により取付部３の前面に固定される連結部４と、連結部４の両端から反取付部側へ夫々延在する腕部５とにより構成される支持部６を備えている。
【０００５】
支持部６の両側の腕部５には、腕部５と平行な２本の切り目７を夫々入れ、切り目７の間の部分を内側へ曲げ加工して山型の係止部８を形成しており、山型の係止部８には、端部９を係止することによって、両側の腕部５の間に数枚の表示物Ｐを挿入保持可能なコイルバネ１０を配置している。
【０００６】
表示物保持器１に平板状の表示物Ｐを保持する際には、表示物Ｐをコイルバネ１０の巻線の間へ差し入れることにより表示物Ｐを挟持している。
【０００７】
しかしながら、表示物保持器１では、表示物Ｐの角度を変更する際に、コイルバネ１０の周回方向（図では上下方向）のみしかスライド変更することができず、表示物Ｐを左右方向に変更し得るよう構成することが求められていた。
【０００８】
そこで、他の例として、図２８に示す如く、表示物保持器１１は、パチンコ、スロット等の上部に両面テープ等の接着手段（図示せず）を介して配置されると共に上面１２に挿入穴１３を形成した取付体１４と、取付体１４の挿入穴１３に挿入される端部から取付体１４の前面まで延在する単線の延在部１５と、取付体１４の前面に配置されるよう延在部１５の他端側に取り付けられると共に平板状の表示物Ｐを挾持し得るよう形成された保持部１６とを備えている。
【０００９】
表示物保持器１１に平板状の表示物Ｐを保持する際には、表示物Ｐを保持部１６の間へ差し入れることにより表示物Ｐを挟持しており、表示物Ｐの角度を左右方向に変更する際には、延在部１５を取付体１４に対して軸転させることにより、保持部１６を左右方向に揺動して表示物Ｐの角度を左右方向に変更している。ここで、最初の表示物保持器１に関しては、例えば、次の特許文献１等において開示がなされている。
【００１０】
【特許文献１】
実願平９−５２２３号公報
【００１１】
【発明が解決しようとする課題】
しかしながら、左右方向に揺動し得る従来の表示物保持器１１では、取付体１４に対して延在部１５を単純に挿入するのみであるため、取付体１４に対する保持部１６の揺動の堅さを好適に備えることができず、表示物Ｐを適切な左右方向の角度で係止することができないという問題があった。又、部品点数が多くなるため、製造コストが上昇するという問題があった。
【００１２】
本発明は、上述の実情に鑑み、取付体に対する保持体の揺動の堅さを好適に備えると共に、部品点数を低減し得る表示物保持器を提供することを目的とするものである。
【００１３】
【課題を解決するための手段】
本発明の請求項１は、取付面に配置される取付体と、該取付体に支持される単線の保持体とを備え、前記保持体は、単線を周回させたバネ部と、該バネ部の両端に位置して取付体を挟み込むよう揺動可能に軸支される延在部とを備え、前記バネ部の弾性力は、取付体に対する保持体の揺動の堅さを決定すると共に平板状の表示物を挾持し得るよう構成されたことを特徴とする表示物保持器、に係るものである。
【００１４】
本発明の請求項２は、取付面に配置される取付体と、該取付体に支持される単線の保持体とを備え、前記保持体は、単線を周回させたバネ部と、該バネ部の両端に位置して取付体に挟み込まれるよう揺動可能に軸支される延在部とを備え、前記バネ部の弾性力は、取付体に対する保持体の揺動の堅さを決定すると共に平板状の表示物を挾持し得るよう構成されたことを特徴とする表示物保持器、に係るものである。
【００１５】
本発明の請求項３は、単線を異なる位置で周回させて複数のバネ部を形成した請求項１又は２記載の表示物保持器、に係るものである。
【００１６】
本発明の請求項４は、複数のバネ部を一平面上に配列した請求項３に記載の表示物保持器、に係るものである。
【００１７】
本発明の請求項５は、保持体の延在部が接触する取付体の設置面の少くとも１面に、保持体の延在部の揺動を仮止めし得るよう溝を形成した請求項１〜４のいずれかに記載の表示物保持器、に係るものである。
【００１８】
本発明の請求項６は、保持体の延在部が接触する取付体の設置面の少くとも１面に、保持体の延在部の揺動を仮止めし得るよう突起部を形成した請求項１〜４のいずれかに記載の表示物保持器、に係るものである。
【００１９】
本発明の請求項７は、取付体の設置面の少くとも１面に複数の溝を形成すると共に、保持体の延在部を所望の仮止め位置に配置し得るよう溝の深さを他の溝と変えた請求項５記載の表示物保持器、に係るものである。
【００２０】
本発明の請求項８は、取付体の設置面の少くとも１面に複数の突起部を形成すると共に、保持体の延在部を所望の仮止め位置に配置し得るよう突起部の形状を他の突起と変えた請求項６記載の表示物保持器、に係るものである。
【００２１】
本発明の請求項９は、保持体の延在部を軸支し得るよう取付体の設置面に挿入穴を形成すると共に、挿入穴の外方端部に凹部を形成した請求項１〜８のいずれかに記載の表示物保持器、に係るものである。
【００２２】
平板状の表示物を保持する際には、表示物を保持体のバネ部の間へ差し入れることにより表示物を挟持しており、表示物の角度を変更する際には、保持体の延在部を取付体に対して軸転させることにより、バネ部を揺動して表示物の角度を変更する。
【００２３】
このように、請求項１によれば、保持体の延在部が取付体を挟み込むと共にバネ部の弾性力が延在部を余勢することによって保持体の揺動の堅さを決定するので、取付体に対する保持体の揺動の堅さを好適にして表示物を所定角度で適切に配置することができる。又、保持体の揺動の堅さを決定する弾性力と、平板状の表示物を挟持する弾性力とを、バネ部の弾性力によりまとめて作用させるので、構造を簡略化すると共に部品点数を低減し、結果的に製造コストを下げることができる。
【００２４】
又、請求項２によれば、取付体が保持体の延在部を挟み込むと共にバネ部の弾性力が延在部を余勢することによって保持体の揺動の堅さを決定するので、取付体に対する保持体の揺動の堅さを好適にして表示物を所定角度で適切に配置することができる。又、保持体の揺動の堅さを決定する弾性力と、平板状の表示物を挟持する弾性力とを、バネ部の弾性力によりまとめて作用させるので、構造を簡略化すると共に部品点数を低減し、結果的に製造コストを下げることができる。ができる。
【００２５】
請求項３に記載の如く、単線を異なる位置で周回させて複数のバネ部を形成すると、複数枚の平板状の表示物を複数のバネ部の異なる位置で把持することができ、又、請求項４に記載の如く、複数のバネ部を一平面上に配列すると、複数のバネ部で一枚の平板状の表示物を把持し得るので、大型の表示物を保持することができる。
【００２６】
請求項５に記載の如く、保持体の延在部が接触する取付体の設置面の少くとも１面に、保持体の延在部の揺動を仮止めし得るよう溝を形成すると、表示物の角度を変更する際には、延在部が溝に仮止めされるので、溝の配置によりバネ部を所定位置へ一層適切に配置することができる。請求項６に記載の如く、保持体の延在部が接触する取付体の設置面の少くとも１面に、保持体の延在部の揺動を仮止めし得るよう突起部を形成すると、表示物の角度を変更する際には、延在部が突起部と他の突起部の間に仮止めされるので、突起部の配置によりバネ部を所定位置へ一層適切に配置することができる。
【００２７】
請求項７に記載の如く、取付体の設置面の少くとも１面に複数の溝を形成すると共に、保持体の延在部を所望の仮止め位置に配置し得るよう溝の深さを他の溝と変えると、表示物の角度を変更する際には、溝の深さの違いにより延在部が所定の溝に容易に仮止めされるので、バネ部を、所望の位置に好適に配置することができる。請求項８に記載の如く、取付体の設置面の少くとも１面に複数の突起部を形成すると共に、保持体の延在部を所望の仮止め位置に配置し得るよう突起部の形状を他の突起部と変えると、表示物の角度を変更する際には、突起部の形状の違いにより延在部が所定の突起部と他の突起部の間に容易に仮止めされるので、バネ部を、所望の位置に好適に配置することができる。
【００２８】
請求項９に記載の如く、保持体の延在部を軸支し得るよう取付体の設置面に挿入穴を形成すると共に、挿入穴の外方端部に凹部を形成すると、挿入穴の挿入部分を区分する延在部の屈曲部分に曲面がある場合であっても、延在部の屈曲部分が、凹部により取付体の設置面に接触することをなく、しかも、延在部の他の部分が取付体に適切に接触するので、保持体を取付体に安定的に配置することができる。
【００２９】
【発明の実施の形態】
以下、本発明の実施の形態を図面に基づいて説明する。
【００３０】
図１〜図４は本発明を実施する形態の第一例を示すものであって、表示物Ｐは従来例と同一の符号で表わしている。
【００３１】
第一例の表示物保持器２１は、パチンコ、スロット等の上部の取付面２２に両面テープ等の接着手段２３を介して配置される取付体２４と、取付体２４に支持される単線の保持体２５とを備えている。
【００３２】
取付体２４は、上側の設置面２６に第一の挿入穴２７を形成すると共に、下側の設置面２８に、第一の挿入穴２７と同軸上の第二の挿入穴２９を形成している。
【００３３】
保持体２５は、単線を所定位置で環状に複数（図では１周半）周回させたバネ部３０と、バネ部３０の両端から延在して所定位置で互いに向かい合うよう屈曲する一方の延在部３１と他方の延在部３２とを備え、一方の延在部３１を取付体２４の第一の挿入穴２７に挿入すると共に他方の延在部３２を第二の挿入穴２９に挿入することによって、取付体２４を上下方向に挟み込んで揺動可能に軸支されている。
【００３４】
ここで、保持体２５は、バネ部３０と延在部３１，３２を単線で成形しており、成形段階でバネ部３０に弾性力を与えることにより延在部３１，３２を内側に余勢し、且つ、バネ部３０の周回部分を巻線にしてバネ部３０に弾性力を与えることによりバネ部３０が伸縮する方向に余勢している。なお、バネ部３０の周回数は異なる複数回でもよいし、バネ部３０の周回の形状は環状以外に三角、四角等の多角形でもよい。
【００３５】
以下、本発明を実施する形態の第一例の作用を説明する。
【００３６】
第一例の表示物保持器２１に平板状の表示物Ｐを保持する際には、表示物Ｐをバネ部３０の周回部分の間へ差し入れることにより表示物Ｐを挟持し、平板状の表示物Ｐの角度を左右方向に変更する際には、取付体２４に対して保持体２５の延在部３１，３２を軸転させることにより、保持体２５のバネ部３０を左右方向に揺動して表示物Ｐの角度を左右方向に変更する。ここで、平板状の表示物Ｐの角度を左右方向に変更する際には、保持体２５の延在部３１，３２が取付体２４を挟み込むと共にバネ部３０の弾性力が延在部３１，３２を内側へ余勢することによって保持体２５の揺動の堅さを好適に決定している。
【００３７】
このように、第一例の表示物保持器２１によれば、バネ部３０の弾性力により取付体２４に対する保持体２５の揺動の堅さを好適にし、表示物Ｐを所定角度で適切に配置することができる。又、保持体２５の揺動の堅さを決定する弾性力と、平板状の表示物Ｐを挟持する弾性力とを、バネ部３０の弾性力によりまとめて作用させるので、構造を簡略化すると共に部品点数を低減し、結果的に製造コストを下げることができる。なお、バネ部３０の周回数を増やして複数の表示物Ｐを把持し得るようにしてもよい。
【００３８】
図５〜図７は本発明を実施する形態の第二例を示すものであって、図１〜図４と同一の符号を付した部分は同一物を表わしている。
【００３９】
第二例の表示物保持器３３は、第一例の取付体２４の設置面２６，２８を変形したものであり、取付体３４は、第一例と略同様に上側の設置面３５に第一の挿入穴２７を形成すると共に、下側の設置面（図示せず）に、第一の挿入穴２７と同軸上の第二の挿入穴２９を形成し、第一の挿入穴２７の外方端部（上側の設置面）には湾曲状の凹部３６を形成すると共に、第二の挿入穴の外方端部（下側の設置面３５）には湾曲状の凹部３６を形成している。ここで、凹部３６は、第一の挿入穴２７及び第二の挿入穴２９のいずれか一方にのみ設けてもよい。
【００４０】
保持体２５は、第一例と略同様なバネ部３０、一方の延在部３１及び他方の延在部３２を備え、一方の延在部３１を取付体３４の第一の挿入穴２７に挿入すると共に他方の延在部３２を第二の挿入穴２９に挿入することによって、取付体３４を上下方向に挟み込んで揺動可能に軸支されている。ここで、一方の延在部３１及び他方の延在部３２は、第一の挿入穴２７及び第二の挿入穴２９に挿入する挿入部分３１ａと、バネ部３０に延在する延在部分３１ｂとを略９０度の屈曲部分３１ｃにより区分しており、屈曲部分３１ｃには成形時に発生する僅かな曲面Ｒを有している。
【００４１】
以下、本発明を実施する形態の第二例の作用を説明する。
【００４２】
取付体３４に保持体２５を備えた際には、屈曲部分３１ｃの内側の曲面Ｒが、凹部３６により取付体３４の設置面３５に接触することがなく、しかも、延在部３１，３２の延在部分３１ｂが、取付体３４の凹部３６の周縁に適切に接触する。
【００４３】
このように、延在部３１，３２の屈曲部分３１ｃに内側の曲面Ｒがある場合であっても、凹部３６の存在によって、延在部３１，３２の屈曲部分３１ｃの内側の曲面Ｒが取付体３４の設置面３５に接触することを防止するので、保持体２５を取付体３４に安定的に配置することができる。ここで、凹部３６がない場合には、図８に示す如く、屈曲部分３１ｃの内側の曲面Ｒが挿入穴２７の上端に接触して延在部３１，３２が浮いたような状態になり、保持体２５を取付体３４に安定的に配置することができない。
【００４４】
又、本発明を実施する形態の第二例は、第一例と同様の作用効果を得ることができる。
【００４５】
図９〜図１４は本発明を実施する形態の第三例を示すものである。図１〜図４と同一の符号を付した部分は同一物を表わしている。
【００４６】
第三例の表示物保持器４１は第一例の取付体２４の構造を変形したものであり、取付体４２は、上側の設置面４３に第一の挿入穴４４を形成すると共に、下側の設置面４５に、第一の挿入穴４４と同軸上の第二の挿入穴４６を形成し、上側の設置面４３には、第一の挿入穴４４から放射状に広がるよう第一の複数の溝４７（図では５本）を形成すると共に、下側の設置面４５には第一の溝４７と略同様に、第二の挿入穴４６から放射状に広がるよう複数の第二の溝（図示せず）を形成している。又、第一の溝４７及び第二の溝は、取付体４２の裏面に略平行な第一溝部４７ａ及び第五溝部４７ｅと、取付体４２の裏面に対して略４５゜の角度を有する第二溝部４７ｂ及び第四溝部４７ｄと、取付体４２の裏面に略垂直な角度を有する第三溝部４７ｃとを備えている。ここで、溝は、上側の設置面及び下側の設置面のいずれか一方にのみ設けてもよいし、溝の本数や角度を変更してもよい。
【００４７】
保持体２５は、第一例と略同様なバネ部３０、一方の延在部３１及び他方の延在部３２を備え、一方の延在部３１を取付体４２の第一の挿入穴４４に挿入すると共に他方の延在部３２を第二の挿入穴４６に挿入することによって、取付体４２を上下方向に挟み込んで揺動可能に軸支されている。
【００４８】
以下、本発明を実施する形態の第三例の作用を説明する。
【００４９】
平板状の表示物Ｐの角度を左右方向に変更する際には、取付体４２に対して保持体２５の延在部３１，３２を軸転させることにより、保持体２５のバネ部３０を左右方向に揺動して表示物Ｐの角度を左右方向に変更する。ここで、保持体２５の延在部３１，３２が揺動する際には、バネ部３０の弾性力で内側に余勢されることによって延在部３１，３２が第一の溝４７及び第二の溝（図示せず）に嵌まって仮止めされており、延在部３１，３２が第一溝部４７ａ及び第五溝部４７ｅに仮止めされた場合には、バネ部３０を取付面２２と略平行な方向に配置し、延在部３１，３２が第二溝部４７ｂ及び第四溝部４７ｄに仮止めされた場合には、バネ部３０を取付面２２に対して略４５゜の角度で配置し、延在部３１，３２が第三溝部４７ｃに仮止めされた場合には、バネ部３０を取付面２２に対して略垂直な角度で配置する。
【００５０】
このように、保持体２５の延在部３１，３２が接触する取付体４２の設置面４３，４５の少くとも１面に、保持体２５の延在部３１，３２の揺動を仮止めし得るよう第一の溝４７及び第二の溝（図示せず）を形成すると、表示物Ｐの角度を変更する際には、延在部３１，３２が夫々の溝部４７ａ〜４７ｅに仮止めされるので、溝部４７ａ〜４７ｅの配置によりバネ部３０を所望の位置で一層適切に配置することができる。
【００５１】
又、本発明を実施する形態の第三例は、第一例と同様の作用効果を得ることができる。
【００５２】
図１５は本発明を実施する形態の第四例を示すものである。図９〜図１４と同一の符号を付した部分は同一物を表わしている。
【００５３】
第四例の表示物保持器４８は、第三例の取付体４２の溝の形状を変形したものであり、取付体４９の第一の溝５０及び第二の溝（図示せず）は、第三例と略同様に、上側の設置面４３で第一の挿入穴４４から放射状に広がるよう第一の複数の溝５０と、下側の設置面４５で第二の挿入穴４６から放射状に広がるよう複数の第二の溝（図示せず）とを備え、このうち、取付体４９の裏面に略垂直な方向に位置する第三溝部５０ｃを、第一溝部（図示せず）、第二溝部５０ｂ、第四溝部５０ｄ、第五溝部（図示せず）よりも深く且つ広く形成している。ここで、第三溝部５０ｃ以外の他の溝部５０ｂ，５０ｄが深く且つ広く形成されてもよい。
【００５４】
以下、本発明を実施する形態の第四例の作用を説明する。
【００５５】
保持体２５の延在部３１，３２が揺動する際には、第三例と略同様に、バネ部３０の弾性力で内側に余勢されることによって延在部３１，３２が第一の溝５０及び第二の溝（図示せず）に嵌まって仮止めされており、この中でも、深く且つ広く形成された第三溝部５０ｃには、延在部３１，３２が容易に仮止めされる。
【００５６】
このように、取付体４９の設置面４５の少くとも１面に複数の溝部５０ｂ〜５０ｄを形成すると共に、保持体２５の延在部３１，３２を所望の仮止め位置に配置し得るよう第三溝部５０ｃの深さを他の溝部５０ｂ，５０ｄと変えると、表示物Ｐの角度を変更する際には、夫々の溝部５０ｂ〜５０ｄの深さの違いにより延在部３１，３２が第三溝部５０ｃに容易且つ確実に仮止めされるので、バネ部３０を、取付面２２に対して所望の垂直な方向に好適に配置することができる。ここで、他の溝部５０ｂ，５０ｄを深く且つ広く形成した場合には、延在部３１，３２が溝部５０ｂ，５０ｄに容易に仮止めされ、バネ部３０を他の溝部の方向に応じて好適に係止することができる。又、溝部５０ｂ〜５０ｄの深さ及び広さを、使用頻度の高い順に徐々に変えると、溝部５０ｂ〜５０ｄの深さ及び広さに対応して延在部３１，３２が夫々の順に容易に仮止めされ、バネ部３０を使用頻度の高い順に好適に配置することができる。
【００５７】
又、本発明を実施する形態の第四例は、第一例及び第三例と同様の作用効果を得ることができる。
【００５８】
図１６〜図１８は本発明を実施する形態の第五例を示すものである。図９〜図１４と同一の符号を付した部分は同一物を表わしている。
【００５９】
第五例の表示物保持器５１は第三例の取付体４２の設置面４３，４５の形状を変形したものであり、取付体５２の設置面４３，４５は、第三例と略同様に、上側の設置面４３で第一の挿入穴４４から放射状に広がるよう第一の複数の溝４７と、下側の設置面４５で第二の挿入穴４６から放射状に広がるよう複数の第二の溝（図示せず）とを備えており、更に第一の挿入穴４４の外方端部（上側の設置面）には湾曲状の凹部５３を形成すると共に、第二の挿入穴４６の外方端部（下側の設置面）には湾曲状の凹部５３を形成している。ここで、凹部５３は、第一の挿入穴４４及び第二の挿入穴４６のいずれか一方にのみ設けてもよい。
【００６０】
保持体２５は、第三例と略同様なバネ部３０、一方の延在部３１及び他方の延在部３２を備え、一方の延在部３１を取付体５２の第一の挿入穴４４に挿入すると共に他方の延在部３２を第二の挿入穴４６に挿入することによって、取付体５２を上下方向に挟み込んで揺動可能に軸支されている。ここで、一方の延在部３１及び他方の延在部３２は、第一の挿入穴４４及び第二の挿入穴４６に挿入する挿入部分３１ａと、バネ部３０に延在する延在部分３１ｂを略９０度の屈曲部分３１ｃにより区分しており、屈曲部分３１ｃは成形時に発生する僅かな曲面Ｒを有している。
【００６１】
以下、本発明を実施する形態の第五例の作用を説明する。
【００６２】
取付体５２に保持体２５を備えた際には、屈曲部分３１ｃの内側の曲面Ｒが、凹部５３により取付体５２の設置面４３，４５に接触することがなく、しかも、延在部３１，３２の延在部分３１ｃが、取付体５２の凹部５３の周縁に適切に接触する。
【００６３】
このように、延在部３１，３２の屈曲部分３１ｃに内側の曲面Ｒがある場合であっても、凹部５３の存在によって、屈曲部分３１ｃの内側の曲面Ｒが取付体５２の設置面４３，４５に接触することを防止するので、保持体２５を取付体５２に安定的に配置することができる。ここで、凹部５３がない場合には、図８に示すものと略同様に、屈曲部分３１ｃの内側の曲面Ｒが挿入穴４４，４６の上端に接触して延在部３１，３２が浮いたような状態になり、保持体２５を取付体に安定的に配置することができない。
【００６４】
又、本発明を実施する形態の第五例は、第一例及び第三例と同様の作用効果を得ることができる。
【００６５】
図１９、図２０は本発明を実施する形態の第六例を示すものである。図１〜図４と同一の符号を付した部分は同一物を表わしている。
【００６６】
第六例の表示物保持器５４は第三例の取付体４２の構造を変形したものであり、取付体５５は、上側の設置面４３に第一の挿入穴４４を形成すると共に、下側の設置面４５に、第一の挿入穴４４と同軸上の第二の挿入穴４６を形成し、上側の設置面４３には、第一の挿入穴４４の周囲に位置して所定の間隔で配置される複数の上方の突起部５６（図では６個）を備え、下側の設置面４５には、上方の突起部５６と略同様に、第二の挿入穴４６の周囲に位置して所定の間隔で配置される複数の下方の突起部（図示せず）を備えている。又、上方の突起部５６及び下方の突起部は、取付体５５の裏面に略平行な窪みを夫々形成するよう第一突起部５６ａと第二突起部５６ｂ、第五突起部５６ｅと第六突起部５６ｆとを配置し、取付体５５の裏面に対して略４５゜の角度で窪みを夫々形成するよう第二突起部５６ｂと第三突起部５６ｃ、第四突起部５６ｄと第五突起部５６ｅとを配置し、取付体５５の裏面に略垂直な角度で窪みを形成するよう第三突起部５６ｃと第四突起部５６ｄを配置している。ここで、上下方向の突起部５６は、上側の設置面４３及び下側の設置面４５のいずれか一方にのみ設けてもよいし、突起部５６の個数や窪みの角度を変更してもよい。
【００６７】
保持体２５は、第三例と略同様なバネ部３０、一方の延在部３１及び他方の延在部３２を備え、一方の延在部３１を取付体５５の第一の挿入穴４４に挿入すると共に他方の延在部３２を第二の挿入穴４６に挿入することによって、取付体５５を上下方向に挟み込んで揺動可能に軸支されている。
【００６８】
以下、本発明を実施する形態の第六例の作用を説明する。
【００６９】
平板状の表示物Ｐの角度を左右方向に変更する際には、取付体５５に対して保持体２５の延在部３１，３２を軸転させることにより、保持体２５のバネ部３０を左右方向に揺動して表示物Ｐの角度を左右方向に変更する。ここで、保持体２５の延在部３１，３２が揺動する際には、バネ部３０の弾性力で内側に余勢されることによって延在部３１，３２が夫々の突起部５６の間の窪みに嵌まって仮止めされており、延在部３１，３２が、第一突起部５６ａと第二突起部５６ｂの間の窪み、第五突起部５６ｅと第六突起部５６ｆの間の窪みに仮止めされた場合には、バネ部３０を取付面２２と略平行な方向に配置し、延在部３１，３２が、第二突起部５６ｂと第三突起部５６ｃの間の窪み、第四突起部５６ｄと第五突起部５６ｅの間の窪みに仮止めされた場合には、バネ部３０を取付面２２に対して略４５゜の角度で配置し、延在部３１，３２が、第三突起部５６ｃと第四突起部５６ｄの間の窪みに仮止めされた場合には、バネ部３０を取付面２２に対して略垂直な角度で配置する。
【００７０】
このように、保持体２５の延在部３１，３２が接触する取付体５５の設置面４３，４５の少くとも１面に、保持体２５の延在部３１，３２の揺動を仮止めし得るよう突起部５６を形成すると、表示物Ｐの角度を変更する際には、延在部３１，３２が突起部５６と他の突起部５６の間の窪みに仮止めされるので、突起部５６ａ〜５６ｆの配置によりバネ部３０を所望の位置で一層適切に配置することができる。
【００７１】
又、本発明を実施する形態の第六例は、第一例と同様の作用効果を得ることができる。
【００７２】
図２１は本発明を実施する形態の第七例を示すものである。図１９、図２０と同一の符号を付した部分は同一物を表わしている。
【００７３】
第七例の表示物保持器５７は、第六例の突起部５６の形状を変形したものであり、取付体５８は、第六例と略同様に、上側の設置面４３で第一の挿入穴４４の周囲に配置される複数の上方の突起部５９と、下側の設置面４５で第二の挿入穴４６の周囲に配置される複数の下方の突起部（図示せず）と備え、このうち、取付体５８の裏面に略垂直な角度で窪みを形成する第三突起部５９ｃ及び第四突起部５９ｄは、窪みへガイドするよう外側から窪み側へ向かって滑らかな上面を形成すると共に、窪みに隣接する側面に所定の高さを形成している。ここで、このような形状を第一突起部５９ａ，第二突起部５９ｂ，第五突起部５９ｅ，第六突起部５９ｆに適用してもよいし、他の形状にしてもよい。
【００７４】
以下、本発明を実施する形態の第七例の作用を説明する。
【００７５】
保持体２５の延在部３１，３２が揺動する際には、第六例と略同様に、バネ部３０の弾性力で内側に余勢されることによって延在部３１，３２が突起部５９と他の突起部５９の間の窪みに嵌まって仮止めされており、この中でも、ガイドし得るよう形成された第三突起部５９ｃ及び第四突起部５９ｄの窪みには、延在部３１，３２が容易に仮止めされる。
【００７６】
このように、取付体５８の設置面４３，４５の少くとも１面に複数の突起部５９を形成すると共に、保持体２５の延在部３１，３２を所望の仮止め位置に配置し得るよう突起部５９ｃ，５９ｄの形状を他の突起部５９ａ，５９ｂ，５９ｅ，５９ｆと変えると、表示物Ｐの角度を変更する際には、突起部５９の形状の違いにより延在部３１，３２が所定の突起部５９ｃと他の突起部５９ｄの間に容易に仮止めされるので、バネ部３０を、所望の垂直な方向に好適に配置することができる。又、突起部５９の側面に所定の高さを備えるので、延在部３１，３２が第三突起部５９ｃと第四突起部５９ｄの間の窪みに一端仮止めされた場合には、両側の突起部５９の側面により延在部３１，３２が保持され、延在部３１，３２の誤った揺動を防止することができる。ここで、このような形状を他の第一突起部５９ａ，第二突起部５９ｂ，第五突起部５９ｅ，第六突起部５９ｆに適用した場合には、夫々の突起部５９ａ，５９ｂ，５９ｅ，５９ｆに延在部３１，３２が容易に仮止めされ、バネ部３０を他の突起部の方向に応じて好適に配置することができる。
【００７７】
又、本発明を実施する形態の第七例は、第一例、第六例と同様の作用効果を得ることができる。
【００７８】
図２２、図２３は本発明を実施する形態の第八例を示すものであって、図１〜図４と同一の符号を付した部分は同一物を表わしている。
【００７９】
第八例の表示物保持器６１は、パチンコ、スロット等の上部の取付面２２に両面テープ等の接着手段２３を介して配置される取付体６２と、取付体６２に支持される単線の保持体６３とを備えている。
【００８０】
取付体６２は、裏面を接着手段２３とする背板６４の上方に設けられた第一取付部６５と、第一取付部６５と所定の間隔を形成するよう背板６４の下方に設けられた第二取付部６６とを備え、第一取付部６５の下側の設置面６７には、第一の挿入穴６８を形成すると共に、第二取付部６６の上側の設置面６９には、第一の挿入穴６８と同軸上の第二の挿入穴７０を形成している。
【００８１】
保持体６３は、単線を所定位置で環状に複数（図では１周半）周回させたバネ部７１と、バネ部７１の両端から延在して所定位置で互いに離間するよう反対方向に屈曲する一方の延在部７２と他方の延在部７３とを備え、一方の延在部７２を第一取付部６５の第一の挿入穴６８に挿入すると共に他方の延在部７３を第二取付部６６の第二の挿入穴７０に挿入することによって、第一取付部６５及び第二取付部６６で上下方向に挟み込まれて揺動可能に軸支されている。
【００８２】
ここで、保持体６３は、バネ部７１と延在部７２，７３を単線で成形しており、成形段階でバネ部７１に弾性力を与えることにより延在部７２，７３を外側に余勢し、且つ、バネ部７１の周回部分を巻線にしてバネ部７１に弾性力を与えることによりバネ部７１が伸縮する方向に余勢している。なお、バネ部７１の周回数は異なる複数回でもよいし、バネ部７１の周回の形状は環状以外に三角、四角等の多角形でもよい。
【００８３】
以下、本発明を実施する形態の第八例の作用を説明する。
【００８４】
第八例の表示物保持器６１に平板状の表示物Ｐを保持する際には、表示物Ｐをバネ部７１の周回部分の間へ差し入れることにより表示物Ｐを挟持し、平板状の表示物Ｐの角度を左右方向に変更する際には、取付体６２に対して保持体６３の延在部７２，７３を軸転させることにより、保持体６３のバネ部７１を左右方向に揺動して表示物Ｐの角度を左右方向に変更する。ここで、平板状の表示物Ｐの角度を左右方向に変更する際には、保持体６３の延在部７２，７３が第一取付部６５及び第二取付部６６に挟み込まれると共にバネ部７１の弾性力が延在部７２，７３を外方へ余勢することによって保持体６３の揺動の堅さを好適に決定している。
【００８５】
このように、第八例の表示物保持器によれば、バネ部７１の弾性力により取付体６２に対する保持体６３の揺動の堅さを好適にし、表示物Ｐを所定角度で適切に配置することができる。又、保持体６３の揺動の堅さを決定する弾性力と、平板状の表示物Ｐを挟持する弾性力とを、バネ部７１の弾性力によりまとめて作用させるので、構造を簡略化すると共に部品点数を低減し、結果的に製造コストを下げることができる。なお、バネ部７１の周回数を増やして複数の表示物Ｐを把持し得るようにしてもよい。
【００８６】
更に、第八例の表示物保持器は、第一取付部６５の下側の設置面６７及び第二取付部６６の上側の設置面６９に、第二例〜第五例に示す溝や凹部、第六例、第七例に示す突起部を形成してもよい。この場合、本発明を実施する形態の第八例は、第二例〜第七例と同様の作用効果を得ることができる。
【００８７】
図２４、図２５は本発明を実施する形態の第九例を示すものであって、図１〜図４と同一の符号を付した部分は同一物を表わしている。
【００８８】
第九例の表示物保持器８１は、パチンコ、スロット等の上部の取付面２２に両面テープ等の接着手段２３を介して配置される取付体８２と、取付体８２に支持される単線の保持体８３とを備えている。
【００８９】
取付体８２は、上側の設置面８４に第一の挿入穴８５を形成すると共に、下側の設置面８６に、第一の挿入穴８５と同軸上の第二の挿入穴８７を形成している。
【００９０】
保持体８３は、単線を所定位置で環状に複数周回させると共に異なる位置で環状に複数（図では２箇所で夫々１周半）周回させて夫々の周回部分を同一平面上に配置するバネ部８８と、バネ部８８の両端から延在して所定位置で互いに向かい合うよう屈曲する一方の延在部８９と他方の延在部９０とを備え、一方の延在部８９を取付体８２の第一の挿入穴８５に挿入すると共に他方の延在部９０を第二の挿入穴８７に挿入することによって、取付体８２を上下方向に挟み込んで揺動可能に軸支されている。
【００９１】
ここで、保持体８３は、バネ部８８と延在部８９，９０を単線で成形しており、成形段階でバネ部８８に弾性力を与えることにより延在部８９，９０を内側に余勢し、且つ、バネ部８８の周回部分を巻線にしてバネ部８８に弾性力を与えることによりバネ部８８が伸縮する方向に余勢している。なお、バネ部８８の周回数は異なる複数回でもよいし、バネ部８８の周回の形状は環状以外に三角、四角等の多角形でもよいし、周回するバネ部８８は、異なる位置で更に周回（３箇所以上）してもよい。
【００９２】
以下、本発明を実施する形態の第九例の作用を説明する。
【００９３】
第九例の表示物保持器８１に複数の平板状の表示物Ｐを保持する際には、複数の表示物Ｐを二箇所のバネ部８８の周回部分の間へ夫々差し入れることにより複数の表示物Ｐを挟持し、大型の平板状の表示物Ｐを保持する際には、表示物Ｐを二箇所のバネ部８８の周回部分の間へ差し入れることにより表示物Ｐを挟持する。又、バネ部８８の巻数を多くして一箇所のバネ部８８に複数の平板状の表示物Ｐを保持してもよい。
【００９４】
平板状の表示物Ｐの角度を左右方向に変更する際には、取付体８２に対して保持体８３の延在部８９，９０を軸転させることにより、保持体８３のバネ部８８を左右方向に揺動して表示物Ｐの角度を左右方向に変更する。ここで、平板状の表示物Ｐの角度を左右方向に変更する際には、保持体８３の延在部８９，９０が取付体８２を挟み込むと共にバネ部８８の弾性力が延在部８９，９０を内側へ余勢することによって保持体８３の揺動の堅さを好適に決定している。
【００９５】
このように、単線を異なる位置で周回させて複数のバネ部８８を形成すると、バネ部８８に複数枚の平板状の表示物Ｐを異なる位置で把持することができ、又、複数のバネ部８８を一平面上に配列すると、複数のバネ部８８で一枚の平板状の表示物Ｐを把持し得るので、大型の表示物Ｐを保持することができる。
【００９６】
更に、第九例の表示物保持器８１によれば、バネ部８８の弾性力により取付体８２に対する保持体８３の揺動の堅さを好適にし、表示物Ｐを所定角度で適切に配置することができる。又、保持体８３の揺動の堅さを決定する弾性力と、平板状の表示物Ｐを挟持する弾性力とを、バネ部８８の弾性力によりまとめて作用させるので、構造を簡略化すると共に部品点数を低減し、結果的に製造コストを下げることができる。
【００９７】
更に又、第九例の表示物保持器８１は、取付体８２の上側の設置面８４及び下側の設置面８６に、第二例〜第五例に示す溝や凹部、第六例、第七例に示す突起部を形成してもよい。この場合、本発明を実施する形態の第九例は、第二例〜第七例と同様の作用効果を得ることができる。更に、第九例の表示物保持器８１を第八例の如き、取付体８２に挟み込まれるように構成してもよい。
【００９８】
尚、本発明は、上述の実施の形態にのみ限定されるものではなく、本発明の要旨を逸脱しない範囲内において種々変更を加え得ることは勿論である。
【００９９】
【発明の効果】
以上説明したように、本発明の表示物保持器によれば、下記の如き、種々の優れた効果を奏し得る。
【０１００】
Ｉ）請求項１によれば、保持体の延在部が取付体を挟み込むと共にバネ部の弾性力が延在部を余勢することによって保持体の揺動の堅さを決定するので、取付体に対する保持体の揺動の堅さを好適にして表示物を所定角度で適切に配置することができる。又、保持体の揺動の堅さを決定する弾性力と、平板状の表示物を挟持する弾性力とを、バネ部の弾性力によりまとめて作用させるので、構造を簡略化すると共に部品点数を低減し、結果的に製造コストを下げることができる。
【０１０１】
ＩＩ）請求項２によれば、取付体が保持体の延在部を挟み込むと共にバネ部の弾性力が延在部を余勢することによって保持体の揺動の堅さを決定するので、取付体に対する保持体の揺動の堅さを好適にして表示物を所定角度で適切に配置することができる。又、保持体の揺動の堅さを決定する弾性力と、平板状の表示物を挟持する弾性力とを、バネ部の弾性力によりまとめて作用させるので、構造を簡略化すると共に部品点数を低減し、結果的に製造コストを下げることができる。
【０１０２】
ＩＩＩ）請求項３に記載の如く、単線を異なる位置で周回させて複数のバネ部を形成すると、複数枚の平板状の表示物を複数のバネ部の異なる位置で把持することができ、又、請求項４に記載の如く、複数のバネ部を一平面上に配列すると、複数のバネ部で一枚の平板状の表示物を把持し得るので、大型の表示物を保持することができる。
【０１０３】
ＩＶ）請求項５に記載の如く、保持体の延在部が接触する取付体の設置面の少くとも１面に、保持体の延在部の揺動を仮止めし得るよう溝を形成すると、表示物の角度を変更する際には、延在部が溝に仮止めされるので、溝の配置によりバネ部を所定位置へ一層適切に配置することができる。請求項６に記載の如く、保持体の延在部が接触する取付体の設置面の少くとも１面に、保持体の延在部の揺動を仮止めし得るよう突起部を形成すると、表示物の角度を変更する際には、延在部が突起部と他の突起部の間に仮止めされるので、突起部の配置によりバネ部を所定位置へ一層適切に配置することができる。
【０１０４】
Ｖ）請求項７に記載の如く、取付体の設置面の少くとも１面に複数の溝を形成すると共に、保持体の延在部を所望の仮止め位置に配置し得るよう溝の深さを他の溝と変えると、表示物の角度を変更する際には、溝の深さの違いにより延在部が所定の溝に容易に仮止めされるので、バネ部を、所望の位置に好適に配置することができる。請求項８に記載の如く、取付体の設置面の少くとも１面に複数の突起部を形成すると共に、保持体の延在部を所望の仮止め位置に配置し得るよう突起部の形状を他の突起部と変えると、表示物の角度を変更する際には、突起部の形状の違いにより延在部が所定の突起部と他の突起部の間に容易に仮止めされるので、バネ部を、所望の位置に好適に配置することができる。
【０１０５】
ＶＩ）請求項９に記載の如く、保持体の延在部を軸支し得るよう取付体の設置面に挿入穴を形成すると共に、挿入穴の外方端部に凹部を形成すると、挿入穴の挿入部分を区分する延在部の屈曲部分に曲面がある場合であっても、延在部の屈曲部分が、凹部により取付体の設置面に接触することをなく、しかも、延在部の他の部分が取付体に適切に接触するので、保持体を取付体に安定的に配置することができる。
【図面の簡単な説明】
【図１】本発明を実施する形態の第一例を示す斜視図である。
【図２】本発明を実施する形態の第一例を示す側面図である。
【図３】図２のＩＩＩ−ＩＩＩ矢視図である。
【図４】図２のＩＶ−ＩＶ矢視図である。
【図５】本発明を実施する形態の第二例において取付体の上側の設置面を示す平面図である。
【図６】図５のＶＩ−ＶＩ矢視図である。
【図７】図５のＶＩＩ−ＶＩＩ矢視図である。
【図８】挿入穴の外方端部に凹部を形成しなかった場合を示す縦断面図である。
【図９】本発明を実施する形態の第三例を示す斜視図である。
【図１０】本発明を実施する形態の第三例を示す側面図である。
【図１１】図１０のＸＩ−ＸＩ矢視図である。
【図１２】図１０のＸＩＩ−ＸＩＩ矢視図である。
【図１３】取付体の上側の設置面を示す平面図である。
【図１４】図１３のＸＩＶ−ＸＩＶ矢視図である。
【図１５】本発明を実施する形態の第四例において取付体の上部を示す正面図である。
【図１６】本発明を実施する形態の第五例において取付体の上側の設置面を示す平面図である。
【図１７】図１６のＸＶＩＩ−ＸＶＩＩ矢視図である。
【図１８】図１６のＸＶＩＩＩ−ＸＶＩＩＩ矢視図である。
【図１９】本発明を実施する形態の第六例において取付体の上側の設置面を示す平面図である。
【図２０】図１９のＸＸ−ＸＸ矢視図である。
【図２１】本発明を実施する形態の第七例において取付体の上部を示す正面図である。
【図２２】本発明を実施する形態の第八例を示す斜視図である。
【図２３】本発明を実施する形態の第八例を示す側面図である。
【図２４】本発明を実施する形態の第九例を示す斜視図である。
【図２５】本発明を実施する形態の第九例を示す側面図である。
【図２６】従来例を示す斜視図である。
【図２７】従来例を示す平面図である。
【図２８】他の従来例を示す斜視図である。
【符号の説明】
２２    取付面
２４    取付体
２５    保持体
２６    設置面
２７    第一の挿入穴（挿入穴）
２８    設置面
２９    第二の挿入穴（挿入穴）
３０    バネ部
３１    延在部
３２    延在部
３４    取付体
３５    設置面
３６    凹部
４２    取付体
４３    設置面
４４    第一の挿入穴（挿入穴）
４５    設置面
４６    第二の挿入穴（挿入穴）
４７    第一の溝（溝）
４９    取付体
５０    第一の溝（溝）
５２    取付体
５３    凹部
５５    取付体
５６    上方の突起部
５８    取付体
５９    下方の突起部
６２    取付体
６３    保持体
６７    設置面
６８    第一の挿入穴（挿入穴）
６９    設置面
７０    第二の挿入穴（挿入穴）
７１    バネ部
７２    延在部
７３    延在部
８２    取付体
８３    保持体
８４    設置面
８５    第一の挿入穴（挿入穴）
８６    設置面
８７    第二の挿入穴（挿入穴）
８８    バネ部
８９    延在部
９０    延在部
Ｐ    表示物
【図１】
2004205904.tif 000003
【図２】
2004205904.tif 000004
【図３】
2004205904.tif 000005
【図４】
2004205904.tif 000006
【図５】
2004205904.tif 000007
【図６】
2004205904.tif 000008
【図７】
2004205904.tif 000009
【図８】
2004205904.tif 000010
【図９】
2004205904.tif 000011
【図１０】
2004205904.tif 000012
【図１１】
2004205904.tif 000013
【図１２】
2004205904.tif 000014
【図１３】
2004205904.tif 000015
【図１４】
2004205904.tif 000016
【図１５】
2004205904.tif 000017
【図１６】
2004205904.tif 000018
【図１７】
2004205904.tif 000019
【図１８】
2004205904.tif 000020
【図１９】
2004205904.tif 000021
【図２０】
2004205904.tif 000022
【図２１】
2004205904.tif 000023
【図２２】
2004205904.tif 000024
【図２３】
2004205904.tif 000025
【図２４】
2004205904.tif 000026
【図２５】
2004205904.tif 000027
【図２６】
2004205904.tif 000028
【図２７】
2004205904.tif 000029
【図２８】
2004205904.tif 000030